(57)【要約】【課題】壁面に傷をつけることなく強固に固定できる換気フードを提供することを目的とする。【解決手段】ダクト内に設けるための係止部材と、カバーとを備えた換気フードであって、係止部材は、受け部と回動規制部と抜け規制部とで構成され、ダクトに固定可能な固定構造とを備え、換気フードはダクト内にて挿抜可能な円筒部と、円筒部の外周壁から突出して係止部材と係合することで抜け方向への移動を規制する抜止部とを備えた換気フードの構成により、換気フードを壁に固定する際、抜止部がダクトの内周壁と換気フードの円筒部の外周壁によって押圧されて、換気フードが容易に動くのを抑制し、係止部材と抜止部が係合するため、換気フードに抜け方向の力に対し、ダクトから抜けるのを防止でき、ネジを用いずに強固な方法で換気フードを固定できる。【選択図】図１
2018054134.tif 000002
【特許請求の範囲】
【請求項１】
中空円筒形のダクト内に設けるための係止部材と当該係止部材と係合されるカバーとを備えた換気フードであって、
前記係止部材は、
リング形状を有する受け部と、
前記受け部の開口端部から前記リング形状における中心軸と平行方向に突出する回動規制部と、
前記回動規制部の突出先端部から前記リング形状における周方向に鍵状に突出する抜け規制部と、
前記ダクトの内周壁に固定可能な固定構造とを備え、
前記カバーは、
前記ダクトの内周側にて挿抜可能な円筒部と、
前記円筒部の外周壁から突出して前記係止部材と係合することで前記円筒部の抜け方向への移動を規制する抜止部とを備えた換気フード。
【請求項２】
前記円筒部は、
前記ダクトへの挿入状態で円周方向への回動が可能な回動構造を備え、
前記円筒部の前記ダクトへの挿抜は、
前記抜け規制部と前記抜止部とが円周上における異なる位置にて行われ、
前記円筒部の前記ダクトへの固定は、
前記円筒部の前記ダクトへの挿入状態において当該円筒部を回動させることで前記抜け規制部と前記抜止部とを円周上における同一の位置である規制位置に配置して行われる請求項１記載の換気フード。
【請求項３】
前記抜け規制部は、
前記抜止部の前記規制位置からの抜け方向への移動を規制し、
前記回動規制部は、
前記抜止部の前記規制位置からの回動方向への回動を規制する請求項２記載の換気フード。
【請求項４】
前記受け部は、
前記リング形状における一部を切り欠いたＣ字形状を有する請求項１から３のいずれかに記載の換気フード。
【請求項５】
前記固定構造は、
前記Ｃ字形状における外周が前記ダクトの内径よりも大きく、
前記Ｃ字形状における外周が前記ダクトの内周壁を外周側に付勢する請求項４に記載の換気フード。
【請求項６】
前記固定構造は、
前記リング形状における外周壁に外周側に突出する突起部を備えた請求項５記載の換気フード。
【請求項７】
前記固定構造は、
前記リング形状における外周壁に粘着部を備えた請求項５または６に記載の換気フード。
【請求項８】
前記抜止部は、
前記円筒部の挿入方向における先側にて前記円筒部と固定される円筒固定部と、
前記円筒部の挿入方向における後側にて前記円筒部から前記円筒固定部よりも外周側に立ち上がる返し部とを備え、
前記返し部は、
前記係止部材と係合する請求項１から７のいずれかに記載の換気フード。
【請求項９】
前記抜止部は、
前記円筒部の挿入方向への移動に比して前記円筒部の抜け方向への移動を抑制する楔部を備えた請求項１から８のいずれかに記載の換気フード。
【請求項１０】
前記抜止部は、
前記円筒部の挿入方向への移動に比して前記円筒部の抜け方向への移動を抑制する楔部を前記返し部に備えた請求項９に記載の換気フード。
【請求項１１】
前記楔部は、
さらに前記円筒部の一方向への回動に比して前記円筒部の他方向への回動を抑制する請求項９または１０に記載の換気フード。
【請求項１２】
前記抜止部は、前記円筒部に複数備えた請求項１から１１のいずれかに記載の換気フード。
【請求項１３】
前記抜止部は、前記円筒部に等間隔で備えた請求項１２記載の換気フード。
【請求項１４】
前記抜止部は、
前記円筒部に前記複数の回動規制部および抜け規制部と対応させて複数備えた請求項１２または１３記載の換気フード。
【請求項１５】
前記固定構造は、
前記係止部材の内周壁から外周壁にかけて貫通した貫通孔である請求項１から１４のいずれかに記載の換気フード。
【請求項１６】
前記固定構造は、
前記抜け規制部の前記受け部とは逆側端部に前記ダクト端部に設けられるストッパと係合する係合溝を備えた請求項１から１５のいずれかに記載の換気フード。
【発明の詳細な説明】
【技術分野】
【０００１】
本発明は、建物の外壁や内壁に設置される換気フードに関するものである。
【背景技術】
【０００２】
従来、この種の換気フードとして換気口部材が知られている（例えば、特許文献１参照）
以下、その換気口部材について図１６を参照しながら説明する。
【０００３】
図１６に示すように、従来の換気口部材は、建物の外壁内に設けられたダクト内に嵌挿される本体筒１０１と、本体筒１０１に設けられた抜け止め金具１０２と、本体筒１０１に接続されるフード本体１０３とでなる換気フードにおいて壁面に接するフードフランジ部１０４に複数の半抜き穴１０５を設けた構成とし、半抜き穴１０５を介してネジ１０６で外壁に取付けできる施工方法としている。
【先行技術文献】
【特許文献】
【０００４】
【特許文献１】特開平８−３０３８３０号公報（段落０００９、図１）
【発明の概要】
【発明が解決しようとする課題】
【０００５】
このような従来の換気口部材、すなわち換気フードは壁への固定にネジ止めを必要としている。つまり、壁の材質によっては、直接ネジを壁に打ちこむと壁が割れてしまうため、ネジによる壁への固定は、壁に下穴を開けてからネジ止めされる。このように、換気口部材を固定する場合、壁を傷つけてしまうという課題があった。
【０００６】
そこで本発明は、上記従来の課題を解決するものであり、壁を傷つけることなく固定できる換気フードを提供することを目的とする。
【課題を解決するための手段】
【０００７】
そして、この目的を達成するために、本発明は、中空円筒形のダクト内に設けるための係止部材と当該係止部材と係合されるカバーとを備えた換気フードであって、前記係止部材は、リング形状を有する受け部と、前記受け部の開口端部から前記リング形状における中心軸と平行方向に突出する回動規制部と、前記回動規制部の突出先端部から前記リング形状における周方向に鍵状に突出する抜け規制部と、前記ダクトの内周壁に固定可能な固定構造とを備え、前記カバーは、前記ダクトの内周側にて挿抜可能な円筒部と、前記円筒部の外周壁から突出して前記係止部材と係合することで前記円筒部の抜け方向への移動を規制する抜止部とを備えた換気フードという構成としたものであり、これにより所期の目的を達成するものである。
【発明の効果】
【０００８】
本発明によれば、壁を傷つけることなく固定できる換気フードを提供することができる。
【図面の簡単な説明】
【０００９】
【図１】本発明の実施の形態１に係る換気フードの構成を示す斜視図。
【図２】実施の形態１に係る換気フードの構成を示す断面図。
【図３】実施の形態１に係るダクトと係止部材と抜止部との係止位置関係を示す部分断面図。
【図４】実施の形態１に係る換気フードの固定状態を示す断面図。
【図５】実施の形態１に係る係止部材のダクトへの挿入状態を示す斜視図。
【図６】実施の形態１に係る換気フードの状態姿勢の変化を示す正面図。
【図７】実施の形態１に係る係止部材の構成を示す斜視図。
【図８】発明の実施の形態２に係る係止部材のダクトへの挿入状態を示す斜視図。
【図９】発明の実施の形態３に係る係止部材のダクトへの挿入状態を示す斜視図。
【図１０】発明の実施の形態４に係る係止部材のダクトへの挿入状態を示す斜視図。
【図１１】発明の実施の形態４に係る係止部材のダクトへの挿入後の状態を示す斜視図。
【図１２】発明の実施の形態５に係る抜止部の形状を示す図。
【図１３】発明の実施の形態５に係る抜止部と係止部材との状態を示す断面図。
【図１４】発明の実施の形態５に係る抜止部の他の形状を示す図。
【図１５】発明の実施の形態５に係るは抜止部と係止部材との相関関係示す斜視図。
【図１６】従来の換気フードの構成を示す図。
【発明を実施するための形態】
【００１０】
本発明に係る換気フードは、中空円筒形のダクト内に設けるための係止部材と当該係止部材と係合されるカバーとを備えた換気フードであって、係止部材は、リング形状を有する受け部と、受け部の開口端部からリング形状における中心軸と平行方向に突出する回動規制部と、回動規制部の突出先端部からリング形状における周方向に鍵状に突出する抜け規制部と、ダクトの内周壁に固定可能な固定構造とを備え、カバーは、ダクトの内周側にて挿抜可能な円筒部と、円筒部の外周壁から突出して係止部材と係合することで円筒部の抜け方向への移動を規制する抜止部とを備えた換気フードという構成をしている。
【００１１】
これによりカバーをダクトが設置される壁に固定する際、円筒部の外周壁から突出した抜止部がダクトの内周壁を押圧して、カバーが容易に動くのを抑制する。また係止部材の回動規制部によって、抜止部の１辺が係止部材の回動規制部にほぼ当接する位置関係となるようにカバーをダクトに挿入すると、抜止部がさらに回動方向に回るのを抑制できるので、容易にカバーが回動方向に動くのを抑制できる。
【００１２】
また、抜止部が係止部材の抜け規制部によって係止される構造となっているので、カバーがダクトから抜けるのを防止できる。つまり壁を傷つけることなくカバーを壁に固定できるという効果を得ることができる。
【００１３】
また、円筒部は、ダクトへの挿入状態で円周方向への回動が可能な回動構造を備え、円筒部のダクトへの挿抜は、抜け規制部と抜止部とが円周上における異なる位置にて行われ、円筒部のダクトへの固定は、円筒部のダクトへの挿入状態において当該円筒部を回動させることで抜け規制部と抜止部とを円周上における同一の位置である規制位置に配置して行われるという構成をしても良い。
【００１４】
この構成により、カバーをダクトが設置される壁に固定する際、カバーを、カバーの抜止部とダクトの係止部材の抜け規制部とが円周上における異なる位置でダクトに差し込み、さらにカバーを抜止部と抜け規制部とが円周上における同一の位置になるよう回動して壁に設置する。
【００１５】
これにより、円筒部の抜止部が係止部材の抜け規制部と当接し、かつ係止状態となるので、円筒部とダクトが固定される状態となり、係止部材に対して抜止部がダクトの内部に位置する状態となる。このような状態でカバーに何らかの外力が加わり、つまりカバーが外れる（壁から離れる）方向の力が加わったとしても、カバーの抜止部がダクト内の係止部材によって係止されているので、カバーが壁から外れるのを防止できる。なお、回動構造はどのようなものでもよく、例えば円筒形のダクトの内周に同じく円筒形の円筒部を差し込むことで周方向への回動が可能となり、すなわち回動構造を構成する。
【００１６】
また、抜け規制部は、抜止部の規制位置からの抜け方向への移動を規制し、回動規制部は、抜止部の規制位置からの回動方向への回動を規制するという構成をしても良い。
【００１７】
この構成により、カバーが、係止部材が固定されたダクトに挿入された後、カバーに何らかの外力が加わり、つまりカバーが外れる（壁から離れる）方向の力が加わったとしても、カバーの抜止部が抜け規制部と係止する状態となっているので、カバーの抜け方向への動きが抑制される。
【００１８】
また、抜止部と係止部材とが係止される位置（円周上における同一の位置）になるようにする作業は、カバーを回動させる作業中において、係止部材の回動規制部によって、抜止部が当接するため、作業者は、その当接した感触により、抜止部と係止部材とが係止する条件である円周上で抜止部と抜け規制部とが円周上で同一に位置していることが分かる。つまり、規制位置に位置したことが容易に認識でき、作業の安定を図ることができる。
【００１９】
また、受け部は、リング形状における一部を切り欠いたＣ字形状を有するという構成をしても良い。
【００２０】
これにより、係止部材をダクトに挿入する際には、切り欠き部分により係止部材の外径を、Ｃ字形状にすることにより得られる弾性によって小さくあるいは、大きく変化させることができる。この構成により、ダクト内径が数ミリ程度違いのあるダクトであっても、係止部材の外径をダクト内径に合わせて変化させ、係止部材をダクトに固定することができる。このように、異なるダクト内径であっても係止部材を固定することができる。
【００２１】
また、固定構造は、Ｃ字形状における外周がダクトの内径よりも大きく、Ｃ字形状における外周がダクトの内周壁を外周側に付勢するという構成をしても良い。
【００２２】
この構成により、係止部材をダクトへ固定する際は、ダクトに係止部材を挿入する際、係止部材の外径をダクトの内径よりやや小さくした状態にして挿入する。そして、挿入後は係止部材の外径の復元力によって、常に広がる力が働くため復元力によって、係止部材がダクトの内周壁に付勢し固定されることができる。
【００２３】
また、固定構造は、リング形状における外周壁に外周側に突出する突起部を備えた構成をしている。
【００２４】
この構成により、係止部材のダクトへの固定方法は、ダクトに係止部材を挿入する際、係止部材の外径をダクトの内径よりやや小さくした状態にして挿入する。そして、挿入後突起部がダクトの内周壁に食い込むよう、係止部材にダクトの内周壁側の方向に力を加える。このようにして、係止部材をダクトに固定することができる。
【００２５】
また、固定構造は、リング形状における外周壁に粘着部を備えた構成をしている。
【００２６】
この粘着部により、係止部材をダクトに容易に固定することができる。
【００２７】
また、抜止部は、円筒部の挿入方向における先側にて円筒部と固定される円筒固定部と、円筒部の挿入方向における後側にて円筒部から円筒固定部よりも外周側に立ち上がる返し部とを備え、返し部は、係止部と係合する構成としてもよい。
【００２８】
これにより円筒部のダクトへの挿入時には、返し部の先端がダクトの内周壁に接しながら挿入されることとなる。返し部は、自然の状態、すなわち円筒部がダクトに挿入されていない状態ではダクトの内径より外側まで広がっていることにより、返し部はダクトの内周壁と換気フードの円筒部外周によって押圧されて、円筒部の安易な動きを抑制する。
【００２９】
そして、係止部材と抜止部の返し部が係合することにより、カバーがダクトから抜けるのを防止できるため、ネジを用いずに、ネジ同様の強固な方法でカバーを壁に固定できる。さらに、ダクトの内径が異なる場合であっても、返し部はダクトの内周壁によって押圧されるので、同様の効果が得られる。
【００３０】
また、抜止部は、円筒部の挿入方向への移動に比して円筒部の抜け方向への移動を抑制する楔部を備えた構成としてもよい。
【００３１】
この構成により、カバーの円筒部が抜け方向に力が加わったとしても楔部がダクトの内周壁に引っかかる状態となるので、カバーが抜け方向に動くのを抑制できる。また、楔部でダクトの内周壁に引っかかるが、カバーの円筒部をダクトへ挿入する際は、楔部のダクト内周壁への引っかかり力が小さいため、比較的大きな力を必要とせず挿入できる。
【００３２】
また、抜止部は、円筒部の挿入方向への移動に比して円筒部の抜け方向への移動を抑制する楔部を返し部に備えたという構成をしてもよい。
【００３３】
この構成により、これにより、返し部に設けられた楔部は、ダクトの内径が数ミリ異なるものであっても楔部がダクト内周壁に引っかかることとなり同様の効果が得られる。
【００３４】
また、楔部は、さらに円筒部の回動方向への回動に比して円筒部の反回動方向への回動を抑制する構成としてもよい。
【００３５】
この構成により、換気フードの円筒部が反回動方向への回動方向に力が加わったとしても楔部がダクトの円周壁に引っかかるので、換気フードの反回動方向への動きを抑制できる。また、換気フードの円筒部をダクトに挿入方向に差し込んだ後、さらに円筒部を回動方向に回動する際、楔部のダクトの内周壁への引っかかり力は少なく、比較的大きな力を必要とせず回動できる。
【００３６】
また、抜止部は、円筒部に複数備えられた構成としてもよい。
【００３７】
これにより、抜止部がダクトの内周壁と換気フードの円筒部外周によって押圧されて換気フードが容易に動くのを抑制させる力が抜止部の個数倍に増大するため、強固に換気フードをダクトに固定できる。
【００３８】
また、抜止部は、円筒部に等間隔で備えられた構成としてもよい。
【００３９】
これにより、抜止部がダクトの内周壁と換気フードの円筒部外周によって押圧されて換気フードが容易に動くのを抑制させる力が換気フードの円周方向のどの方向からも均等にかかる。このため、特定の方向からの力に対しては容易に動きやすいという不安定な状態になるのを抑制し、かつ、換気フードを回動させる際に常に一定の力で作業することができる。
【００４０】
また、抜止部は、円筒部に複数の回動規制部および抜け規制部と対応させて複数備えた構成としてもよい。
【００４１】
この構成により、換気フードがダクトから抜ける方向（円筒部が反回動方向への方向、円筒部が抜け方向への方向）に力が加わったとしても複数の抜止部と係止部材との係合力により、より強固に換気フードを壁に固定できる。
【００４２】
また、固定構造は、係止部材の内周壁から外周壁にかけて貫通した貫通孔であるという構成としてもよい。
【００４３】
係止部材のこの構成により、係止部材のダクトへの固定方法は、ダクトの内周壁において、係止部材の貫通孔と重なる位置に貫通孔に勘合する突起を設けることで、係止部材をダクトに挿入した際、内周壁の突起と、係止部材の貫通孔が勘合し、係止部材とダクトとを固定することができる。
【００４４】
また、固定構造は、抜け規制部の受け部とは逆側端部にダクト端部に設けられるストッパと係合する係合溝を備えたという構成をしている。
【００４５】
係止部材のこの構成により、係止部材のダクトへの固定方法は、係止部材をダクトに挿入する際、ダクト端部のストッパと係止部材との勘合溝とが円周上同一の位置となるように挿入し係止部材をダクトに挿入し終わると、ストッパと勘合溝とが係止することとなる。
【００４６】
これによって、係止部材は抜け方向の力が加わっても抜けない状態となり、係止部材とダクトとを固定できる。
【００４７】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。さらに、各図面において、本発明に直接には関係しない各部の詳細については説明を省略している。また、実施形態として記載されている、又は図面に示されている構成部品の寸法、材質、形状、その相対的配置等は、本発明の範囲をこれに限定する趣旨でなく、単なる説明例にすぎない。下記複数の実施の形態は、矛盾しない範囲で組み合わせて実施することができる。（実施の形態１）
以下、図１から図４を参照して、本発明の実施の形態１に係る換気フードについて説明する。なお図１は、本発明の実施の形態１に係る換気フード４の構成を示す斜視図、図２は換気フードの構成を示す断面図、図３は、ダクトと係止部材と抜止部との係止位置関係を示す部分断面図、図４は、換気フードの固定状態を示す断面図である。
【００４８】
換気フード４は、図１及び図２に示すように、係止部材６と、カバー３とを備え、ダクト１に配されている。
【００４９】
ダクト１は、図２に示すように、例えば家屋等の壁１０を貫通した孔３１に、当該壁１０を挟んで内部と外部とを連通するように設けられる。ダクト１は、中空円筒形状を有しており、壁１０への設置時には、外周壁３２が孔３１に密着して挟持され、内周壁５が送風のための風路空間の外周を構成する。またダクト１は、設置時には、例えば当該ダクト１の端部の開口である端部開口２が、壁１０の壁面３３と同一平面上に位置される。
【００５０】
係止部材６はダクト１の内部に挿入できるものである。係止部材６は、リング形状を有する受け部４０と、受け部４０の、ダクト１の開口側の端部である開口端部４１からリング形状における中心軸Ｘと平行方向に突出する回動規制部１２と、回動規制部１２の突出先端４２からリング形状における周方向Ｍに鍵状に突出する抜け規制部１１と、ダクト１の内周壁５に固定可能な固定構造とを備えている。ここで周方向Ｍは、本実施の形態では、受け部４０のダクト１への挿入方向における後方から見て時計回りの方向である。
【００５１】
係止部材６の回動規制部１２および抜け規制部１１で構成される鍵状の部位４３は、同一円周上に等間隔、すなわち１２０度毎に３個配置されている。ただし、鍵状の部位４３は１個でもよい。回動規制部１２の周方向両端と中心軸との成す角度αは例えば５度から６０度程度である（図３の１段目右図）。係止部材６は例えば１ミリ程度の厚みを有するものである。また係止部材６は、他端がダクト１の内部方向（後述の挿入方向）に当該ダクト１の端部開口２から一定の距離入った場所に位置している。ここで一定の距離とは、後述の抜止部と特定の関係を有する距離であるが詳細は後述する。
【００５２】
カバー３は、円筒部７と、ダクトカバー部３４とを備えている。
【００５３】
円筒部７は、中空円筒形状を有し、当該円筒部７の外周は、係止部材６の複数の鍵状の部位４３の内周面で構成される内周円（図３の内周円３５）よりも径が小さく、すなわち当該円筒部７は、ダクト１に係止部材６の挿入された後において、当該ダクト１に挿抜可能となっている。円筒部７は、ダクトカバー側開口３６において外周方向に広がるフランジ３７を有している。円筒部７は、外周に抜止部９を備えている。
【００５４】
抜止部９は、図２および図４に示すように、円筒部７の外周壁８から外周方向に突出しており、設置時に係止部材６と係合することで円筒部７の抜け方向Ｊへの移動を規制する。抜止部９は、鍵状の部位４３と同数かつ鍵状の部位４３と位置を対応させて備えられている。抜止部９は、カバー３をダクト１に挿入する方向、すなわち挿入方向Ｒにおける先側１５にて円筒部７と固定される円筒固定部１６と、挿入方向Ｒにおける後側１７にて円筒部７から円筒固定部１６よりも外周側に立ち上がる返し部１８とを備えている。
【００５５】
なお、抜止部９と係止部材６との係合の詳細については後述する。
【００５６】
返し部１８は、円筒部７がダクト１に挿入されていない状態では、図２に示すように、返し部１８の最外周を結んだ円周の径はダクト１の内径よりも大きく、すなわちダクト１の内径よりも外側まで広がっている。つまり、ダクト１の内径が数ミリ異なっているものでも返し部１８の先端が必ず内周壁５に当接することとなっている。
【００５７】
ダクトカバー部３４は、円筒部７のフランジ３７と例えばリベット止めされることで円筒部７と一体化されている。ダクトカバー部３４は、断面視において中空矩形であり、一端が円筒部７の内部空間と連通し、他端は外部に開放されている。ここで外部とは、屋外や屋内を意味する。図４では、ダクトカバー部３４は、他端が下方に向けて開放されており、雨の侵入を防止できる構造となっている。つまり、ダクトカバー部３４は、ダクト１内への雨風の流入を防止する覆いとして機能する。
【００５８】
以上が換気フード４の構成である。
【００５９】
続いて、図１から図７を参照しながら、係止部材６をダクト１に挿入し、そののちカバー３をダクト１に挿入する方法、すなわち設置状態とする手順について説明する。なお、  図５は係止部材のダクトへの挿入状態を示す斜視図、図６は、換気フードの状態姿勢の変化を示す正面図、図７は係止部材の構成を示す斜視図である。
【００６０】
上記構成において、カバー３をダクト１が設置される壁１０に固定する際、図５に示すように、まず、係止部材６の中心軸Ｘとダクト１の中心軸とを一致させる。次に係止部材６の端部４４が壁面３３と同一平面上、すなわち端部開口２とほぼ一致させるようにダクト１に挿入し、ダクト１の内周壁５に固定する。この位置が係止部材６とダクト１の施工上における正規の位置となる。なお、係止部材６とダクト１との固定方法の詳細については後述する。次に、（図２参照）円筒部７の中心軸とダクト１の中心軸とを一致させる。この際、円筒部７に設けられた抜止部９とダクト１内に配置させた係止部材６の抜け規制部とは、中心軸に垂直な断面、すなわち円周上において異なる位置に据えられる（図３における２段目の図）。このような状態において、図２に示すように、円筒部７を挿入方向Ｒの方向に挿入する。この際、抜止部９（返し部１８）がダクト１の内周壁５とカバー３の円筒部７の外周壁８によって押圧されて、カバー３が抜け方向Ｊ側に容易に動くのを抑制する（図４参照）。
【００６１】
円筒部７がダクト１に挿入されると、ダクトカバー部３４あるいはフランジ３７が、壁面３３または端部開口２と当接し、それ以上の挿入が規制される。この状態においては、返し部１８の挿入方向Ｒにおける後側１７の端部は、係止部材６の他端と周方向において競合しない位置３８まで挿入されることになる。つまり、この競合しない位置３８が、上述の「抜止部と特定の関係を有する距離」である。
【００６２】
なお、抜止部９（返し部１８）と係止部材６とが周方向にて競合せず、また円筒部７とダクト１とは共に円形であり、さらに円筒部７の外周が係止部材の内周（係止部材６の内周側端部）よりも径が小さいため、円筒部７はダクト１内を回動可能となっている（回動構造：図３の３段目左側の図）。
【００６３】
この状態において、円筒部７を周方向Ｍすなわち回動方向Ｋに回動させることで、抜け規制部１１と抜止部９とが円周上における同一の位置、すなわち規制位置に配置される（図３における３段目右側の図）。
【００６４】
以上のように、ダクト１に固定された係止部材６とカバー３の抜止部９とが係合することにより、カバー３に、抜け方向Ｊの力が加わったとしても、ダクト１から抜けるのを防止できる。このため、ネジを用いることなくカバー３を壁１０に固定できる。
【００６５】
また、ネジを必要としない固定のため、カバー３の固定の際し、ドライバーなどの工具を必要としないため、簡単に施工が行える（図４参照）。
【００６６】
また、抜止部９の返し部１８はダクト１の内周壁５と円筒部７の外周とによって押圧されて、円筒部７の安易な動きを抑制する。そして例えば抜止部９がバネ鋼などの弾性力を有していれば、抜止部９にさらに強い押圧力が加わり、強い保持力を有することができる。さらに、内径に多少の違いのあるダクトであっても、返し部１８はダクト１の内周壁５によって押圧されるので、内径の違いを吸収して径の異なるダクトに円筒部７を固定することが可能となる（図４参照）。
【００６７】
また、抜止部９および鍵状の部位４３はそれぞれ１対でも機能するが、複数設けることで、円筒部７が抜け方向Ｊに力が加わったとしても、複数の抜止部９と係止部材６との係合力により、より強固に円筒部７を壁に固定できる。
【００６８】
なお、図６の左図はダクトカバー部３４を係止部材６と抜止部９とが円周上における異なる位置でダクト１に挿し込んだ状態姿勢を示したものである。そして、図６の右図はダクトカバー部３４を係止部材６と抜止部９とが円周上における同一の位置になるように回動した状態姿勢である。なお、ダクトカバー部３４は様々な形状が許容されるため、外周の矩形でダクトカバー部３４の傾きを示している。
【００６９】
このように、係止部材６の抜け規制部１１の少なくとも１つを円周上における上部に位置させる。そして、ダクトカバー部３４においても、配置後の正常な位置における上部に抜止部９を位置させる。これにより、ダクトカバー部３４を差し込んだ後、回動したかどうかは、カバー３（ダクトカバー部３４）の姿勢が正しい位置になっていることで確認ができるので、現場においての回動忘れを容易に確認できる。
【００７０】
なお、抜止部９は円筒部７と一体として構成してもよい。また、抜止部９は、必ずしも円筒固定部１６と返し部１８とに分割される必要は無く、外周壁８から外周方向に突出して係止部材６と係合するものであればよい。
【００７１】
次に係止部材６とダクト１との固定方法について記述する。
【００７２】
受け部４０は、リング形状における１部を切り欠いたＣ字形状４５を有している。（図１、図３参照）
さらに、Ｃ字形状４５の受け部の外周の外径は、ダクト１の内径よりも大きいものとしている。
【００７３】
これにより、係止部材６をダクト１に挿入する際には、受け部４０がＣ字形状となっているので受け部の外径の曲率を、元の曲率径より小さくあるいは大きな曲率径に変化させることができる。
【００７４】
係止部材６をダクト１に差し込む際には、Ｃ字形状４５の受け部４０をダクト１の内径よりやや径小にさせた状態で、ダクト１に差し込む（図３の１段目）。
【００７５】
係止部材６の端部４４をダクト１の端部開口２と同一面まで挿入した後、径小にさせる力を開放しその位置に配置させる。係止部材６の外周は外径の復元力によって、常に広がる力が働き係止部材６がダクト１の内周壁５に付勢し、ダクト１に固定される（図３の２段目、図２参照）。
【００７６】
また、図７に示すように、リング形状における外周壁４７に粘着部４８を備えている。
【００７７】
これにより、係止部材６がダクト１に粘着部４８の粘着力によってより強固に固定される。
【００７８】
さらに、Ｃ形状の外径の曲率はある程度の変化が可能であるため、ダクト内径が数ミリ程度異なるダクトであっても係止部材６をダクトに固定することができる。
【００７９】
ダクトの内径が数ミリ程度大きい場合では、受け部の外径の曲率をやや大きく塑性変形させてから、前述した方法でその復元力を利用して固定でき、異なるダクト内径であっても係止部材６を固定することができる。
（実施の形態２）
続いて、実施の形態２に係る換気フードについて、図８を参照しながら説明する。なお、実施の形態２では、上記実施の形態と異なる点について説明を行う。ここで図８は実施の形態２に係る係止部材のダクトへの挿入状態を示す斜視図である。
【００８０】
本実施の形態では、係止部材６ａのリング形状における外周壁４７に突起４９を備えている。
【００８１】
突起４９は、図８に示すように、リング形状における外周壁４７から外側に向かい先端が鋭利に尖った鋭角を向けた形状をしている。
係止部材６ａをダクト１に挿入後、係止部材６ａをダクト１の規定の位置すなわち、係止部材６ａの抜け規制部１１の端部４４を壁面３３と同一平面上に位置させた後に、係止部材６の内側からダクト１の内周壁５側に向かい力を加える。それにより突起４９がダクト１の内周壁５に食い込むので、係止部材６ａがダクト１に堅固に固定される。図において、突起４９は鍵状の部位４３に設けているが、突起の位置は受け部４０上でも良く、またその数量も複数設けることで一層強固に固定されるのは言うまでもない。
（実施の形態３）
続いて、実施の形態３に係る換気フードについて、図９を参照しながら説明する。
【００８２】
なお、実施の形態３では、上記実施の形態と異なる点について説明を行う。ここで図９は発明の実施の形態３に係る係止部材のダクトへの挿入状態を示す斜視図である。
【００８３】
本実施の形態では、係止部材６ｂの内周からリング形状における外周壁４７にかけて貫通した貫通孔５０を備えている。さらに、ダクト１には、係止部材６ｂとダクトが施工上における正規の位置となったときに、貫通孔５０とダクト１ｂの内周壁５の同一の位置に凸部５１を有している。この凸部は、例えばダクトがスパイラル鋼管などの金属性の薄板の材質の場合、いわゆるダボという言われる製造方法によって加工できるものである。この構成において、係止部材６ｂの径を径小させながら、係止部材６ｂをダクト１ｂの施工上における正規の位置に配置させると、ダクト１ｂの凸部５１と係止部材６ｂの貫通孔５０が勘合する。係止部材６ｂのリング形状は常に復元力によって広がる方向に力が働いており、かつ、貫通孔５０と凸部５１での勘合によって、係止部材６ｂのダクト１ｂ内部での動きを抑制し、固定構造としている。
（実施の形態４）
続いて、実施の形態４に係る換気フードについて、図１０および図１１を参照しながら説明する。なお、本実施の形態では、上記実施の形態と異なる点について説明を行う。ここで図１０は本実施の形態に係る係止部材のダクトへの挿入状態を示す斜視図、図１１は係止部材のダクトへの挿入後の状態を示す斜視図である。
【００８４】
本実施の形態では、抜け規制部１１は、受け部４０とは逆側端部５２にダクト１の端部５３に設けられるストッパ５４と係合する係合溝５５を有している。
【００８５】
まず、ダクト１がまだ、壁面に固定されていない状態において、係止部材６ｃをダクト１に施工上における正規の位置よりやや奥に一旦差し込む。そしてダクト１の端部５３で、係合溝５５と中心軸方向に同一直線状に位置する端部５３に、図１０に示すようなストッパ５４の形状を制作する。このようにしてダクト１ｃを作成する。ストッパ５４の形状の制作は例えば、マイナスドライバーなどの先端をダクト端部に当てハンマーなどで内周にむけて叩くことにより、簡単にその形状を制作することができる。つまりストッパ５４は、ダクト端部にてダクト１の中心方向に突出する突部とすることができる。
【００８６】
ストッパ５４の制作ができた後、係止部材６を施工上における正規の位置に戻すことで、ストッパ５４と係合溝５５とが係止され、係止部材６ｃが抜け方向Ｊ方向の移動を抑制し、かつ，反時計周りＳおよび時計周りＴ（周方向Ｍ）への回転移動を抑制し、係止部材６ｃとダクト１ｃとの固定ができる。
【００８７】
また、一方、予め、上記と同じ方法でダクト１にストッパ５４を制作しておいたダクト１ｃに係止部材６ｃを挿入することもできる。ダクト１ｃに係止部材６ｃを挿入する際、係止部材６ｃの外周を径小にする時、ストッパの頂点同士を結ぶ円よりも、係止部材の外周を径小にさせながら挿入する。そして係止部材６ｃを施工上における正規の位置まで挿入したら、径小の力を開放することによって、係止部材６ｃとダクト１ｃの固定ができる。係止部材とダクトとの移動抑制状態は前述と同様である。
（実施の形態５）
続いて、本実施の形態に係る換気フードについて、図１２から図１５を参照しながら説明する。なお、実施の形態５では、上記実施の形態と異なる点について説明を行う。ここで図１２は、本実施の形態に係る抜止部の形状を示す図、図１３は抜止部と係止部材との状態を示す断面図、図１４は抜止部の他の形状を示す図、図１５は抜止部と係止部材との相関関係示す斜視図である。
【００８８】
本実施の形態では、抜止部９ａは、楔部２０を備える。
【００８９】
楔部２０は、図１２に示すように、抜止部９ａの返し部１８ａ側に、抜け方向Ｊに対して先端が鋭利に尖った鋭角を向け、挿入方向Ｒに対しては鋭角を備えていない、すなわち三角形状を備えている。つまり楔部２０は、その鋭角の方向により、円筒部７の挿入方向Ｒへの移動に比して円筒部７の抜け方向Ｊへの移動を抑制することができる（図１３参照）。
【００９０】
上記構成において、円筒部７に対して抜け方向Ｊに力が加わったとしても、図１２に示すように楔部２０の先端がダクト１の内周壁５に引っかかる状態となるので、円筒部７が抜け方向Ｊに動くのを抑制できる。これに対して円筒部７をダクト１へ挿入する際は、挿入方向Ｒに対して鋭角を備えていないため、楔部２０のダクト１の内周壁５への引っかかり力が小さく、大きな力を必要とせず挿入できる。
【００９１】
なお、返し部１８ａに楔部２０を有しているため、異なる内径のダクトであっても必ず楔部２０がダクト１の内周壁５に引っかかることとなる。
【００９２】
なお図１４に示すように、楔部２０の鋭角を図１２の同楔部の方向に対して約４５度、反回動方向Ｐに傾けて設けてもよい。つまり、図１５に示すように円筒部７の回動方向Ｋへの回動に比して円筒部７の反回動方向Ｐへの回動を抑制する構成をしている。
【００９３】
上記構成において、円筒部７に対して反回動方向Ｐ側への力が加わったとしても、楔部２０がダクト１の内周壁５に引っかかる状態となるので、円筒部７の反回動方向Ｐへの動きを抑制できる。当然ながら、抜け方向Ｊへの移動の抑制も同時に行うことができる。
【００９４】
つまり、円筒部７の規制位置への移動は容易に行えるが、これに対して規制位置から再度分離状態とする際には、回動、移動が抑制されているため容易に行うことができず、結果として強固に固定することができる。当然、係止部や抜止部を複数設けることで、一層強固に固定されるのは言うまでもない。
【産業上の利用可能性】
【００９５】
本発明に係る換気フードは、ネジや、工具を用いることなく、換気フードを短時間に固定できるという効果を有し、建物の外壁等に設置される換気フード等として有用である。
【符号の説明】
【００９６】
１，１ｂ，１ｃ    ダクト
２    端部開口
３    カバー
４    換気フード
５    内周壁
６，６ａ，６ｂ，６ｃ    係止部材
７    円筒部
８    外周壁
９，９ａ    抜止部
１０    壁
１１    抜け規制部
１２    回動規制部
１５    先側
１６    円筒固定部
１７    後側
１８，１８ａ    返し部
２０    楔部
３１    孔
３２    外周壁
３３    壁面
３４    ダクトカバー部
３５    内周円
３６    ダクトカバー側開口
３７    フランジ
３８    位置
４０    受け部
４１    開口端部
４２    突出先端
４３    鍵状の部位
４４    端部
４５    Ｃ字形状
４７    リング形状における外周壁
４８    粘着部
４９    突起
５０    貫通孔
５１    凸部
５２    端部
５３    端部
５４    ストッパ
５５    係合溝
Ｊ    抜け方向
Ｋ    回動方向
Ｐ    反回動方向
Ｒ    挿入方向
Ｘ    中心軸
Ｍ    周方向
Ｓ    反時計周り
Ｔ    時計周り
【図１】
2018054134.tif 000003
【図２】
2018054134.tif 000004
【図３】
2018054134.tif 000005
【図４】
2018054134.tif 000006
【図５】
2018054134.tif 000007
【図６】
2018054134.tif 000008
【図７】
2018054134.tif 000009
【図８】
2018054134.tif 000010
【図９】
2018054134.tif 000011
【図１０】
2018054134.tif 000012
【図１１】
2018054134.tif 000013
【図１２】
2018054134.tif 000014
【図１３】
2018054134.tif 000015
【図１４】
2018054134.tif 000016
【図１５】
2018054134.tif 000017
【図１６】
2018054134.tif 000018